(57)【要約】【課題】  データ送信時のデータ形式を送信先に応じて適切に変更することで、スタンドアローンでの使用とネットワーク接続によるデータ送信をコンカレントにストレスなく、利用できる電子情報端末機器を提供する。【解決手段】  ユーザは、データ格納部２２が格納する複数のオリジナルの画像データの中から送信したい画像データを指定するとともに、送信先・送信方式格納部２６に格納された複数の送信先から、指定した画像データを送信する送信先を指定する。ユーザが指定した画像データはデータ格納部２２から読み出されるとともに、ユーザが指定した送信先の受信機器５０に応じて推奨されたフォーマット、サイズおよび圧縮率が変換ルール格納部３２から読み出される。ユーザが指定したオリジナルの画像データは読み出されたフォーマット、サイズおよび圧縮率に従って変換された後、通信モデム３１およびインターネット４０を介して受信機器５０に送信される。【選択図】  図１
2005227911.tif 000002
【特許請求の範囲】
【請求項１】
画像データ又は音声データの送信先に関する情報を格納する送信先格納部と、
送信先毎に、画像データ又は音声データのフォーマット、サイズ及び画質又は音質のうち少なくとも１つについて送信先における処理に適した推奨パラメータをデータ変換のための事前設定値として予め格納する変換ルール格納部と、
ユーザの指示により送信先及び送信先へ送信する画像データ又は音声データを決定するユーザ指定部と、
ユーザが指示したオリジナルの画像データ又は音声データをユーザが指示した送信先に対応する前記事前設定値に応じて変換するデータ変換部と、
変換後の画像データ又は音声データをネットワーク経由で送信先へ送信する通信部と、
を備えることを特徴とする電子情報端末機器。
【請求項２】
ユーザが指定する値に基づいて前記事前設定値を再設定する手段をさらに備えることを特徴とする請求項１に記載の電子情報端末機器。
【請求項３】
前記変換ルール格納部は、前記送信先までの回線の速度を加味して定められた事前設定値を格納することを特徴とする請求項１又は２に記載の電子情報端末機器。
【請求項４】
前記データ変換部は、ネットワーク経由でダウンロードされた変換プログラムを用いて、ユーザが指示したオリジナルの画像データ又は音声データを前記事前設定値に応じて変換することを特徴とする請求項１乃至３のいずれか１項に記載の電子情報端末機器。
【請求項５】
前記送信先格納部、前記変換ルール格納部、前記ユーザ指定部および前記データ変換部が携帯情報機器を構成し、前記携帯情報機器と前記通信部とが近距離無線通信により通信可能であることを特徴とする請求項１乃至４のいずれか１項に記載の電子情報端末機器。
【発明の詳細な説明】
【技術分野】
【０００１】
本発明は、取り込んだデータをネットワーク経由でデータ転送することが可能な電子情報端末機器に関する。
【背景技術】
【０００２】
デジタルカメラやボイスレコーダなどの画像や音声などを取り込む電子情報端末機器では、スタンドアローンで使用する機能に加えて、内部に格納されているデータをネットワーク経由で送信する機能を持つ機器が存在する。リムーバブルなメディアを物理的に受け渡すことによるデータ交換に比べて、ネットワーク経由でのデータ交換は、遠隔地にある送信先にリアルタイムで送信ができるという利便性を有するため、様々な機器でポピュラーになってきている。カメラ付き携帯電話などはその一例といえる。しかし、これらの機器では、送信先の状況や伝送路の状況に応じて、データ形式を柔軟に変えられるものではなく、オリジナルのデータをそのまま利用して送信するものがほとんどである。あるいは、スタンドアローンのデータ取り込み性能を十分活かさずに、クオリティを落としてでも相手先に合ったデータ形式で取り込みを行って、ネットワーク経由で転送するという手順が取られていた。
【０００３】
一方、送信時にデータ変換を行う装置も存在する。たとえば、特許文献１は、ネットワーク上に存在するプリンタにデータを送信して印刷を行わせる場合に、コントローラがまずプリンタ自身が受け入れ可能なデータフォーマットを調べ、そのデータフォーマットへの変換ができない場合は、その変換が可能な機器へのデータ転送を指示し、該当機器に変換処理をさせた後、プリンタへ転送する技術を開示する。この公知例では、受け入れ可能なデータフォーマットへの変換ができない場合は、プリンタが受け入れ不可能なため、システムがエラー状態になり処理が中断する。
【０００４】
また、特許文献２は、通信路の状態に応じて画像の圧縮率を同一フォーマットの範囲内で変更する技術を開示する。
【特許文献１】特開２０００−３０７６１９号公報
【特許文献２】特開２００１−６１０６８号公報
【発明の開示】
【発明が解決しようとする課題】
【０００５】
ネットワーク経由で遠隔地など物理的に離れた場所にデータを送信する場合、送信先や送信媒体（ネットワークの状況）によって、オリジナルのデータをそのまま送信したのでは、データフォーマット、画像サイズ等のジオメトリ、データファイルサイズが不適切なために送信先で受け入れられないことがある。また、送信に要する時間が多大になって、他の操作性に悪影響を及ぼしたり、その間に通信が途切れることにより、データが確実に転送できないリスクが大きくなるなどの問題点があった。
【０００６】
本発明は、以上の点に鑑み、データ送信時のデータ形式を送信先に応じて適切に変更することで、スタンドアローンでの使用とネットワーク接続によるデータ送信をコンカレントにストレスなく、利用できる電子情報端末機器を提供しようとするものである。
【課題を解決するための手段】
【０００７】
本発明は、画像データ又は音声データの送信先に関する情報を格納する送信先格納部と、送信先毎に、画像データ又は音声データのフォーマット、サイズ及び画質又は音質のうち少なくとも１つについて送信先における処理に適した推奨パラメータをデータ変換のための事前設定値として予め格納する変換ルール格納部と、ユーザの指示により送信先及び送信先へ送信する画像データ又は音声データを決定するユーザ指定部と、ユーザが指示したオリジナルの画像データ又は音声データをユーザが指示した送信先に対応する前記事前設定値に応じて変換するデータ変換部と、変換後の画像データ又は音声データをネットワーク経由で送信先へ送信する通信部と、を備えることを特徴とする。
【０００８】
これによれば、ユーザは、送信するデータと送信先とを指定するだけで、送信先に適したデータを簡便かつ迅速に送信することができる。このため、ユーザは、オリジナルのユーザ指定の画像データ又は音声データと送信先に送られるユーザ指定の画像データ又は音声データのフォーマット等との違いに囚われずに、簡単な操作で確実に送信先に所望の画像データ又は音声データを送信することができる。
【０００９】
上記構成において、ユーザが指定する値に基づいて前記事前設定値を再設定する手段をさらに備えてもよい。これによれば、ユーザは好みの事前設定値に応じて変換されたユーザ指定の画像データ又は音声データを送信先に送ることができる。
【００１０】
上記構成において、前記変換ルール格納部は、前記送信先までの回線の速度を加味して定められた事前設定値を格納してもよい。これによれば、事前設定値をよりきめ細かに設定することができる。
【００１１】
上記構成において、前記データ変換部は、ネットワーク経由でダウンロードされた変換プログラムを用いて、ユーザが指示したオリジナルの画像データ又は音声データを前記事前設定値に応じて変換してもよい。これによれば、データ変換部がデフォルトでは変換できないフォーマット等への変換が可能になり、データ変換を柔軟に行うことができる。
【００１２】
前記送信先格納部、前記変換ルール格納部、前記ユーザ指定部および前記データ変換部が携帯情報機器を構成し、前記携帯情報機器と前記通信部とが近距離無線通信により通信可能であってもよい。
【００１３】
これによれば、ユーザはデジタルカメラなどの携帯情報機器から所望の画像データ又は音声データをワイヤレスで送信先に簡便かつ確実に送信することができる。
【発明の効果】
【００１４】
本発明によれば、電子情報端末機器によるデータ送信をストレスなく行うことができる。
【発明を実施するための最良の形態】
【００１５】
（実施形態１）
図１は、実施形態１に係る電子情報端末機器１０の構成を示す。電子情報端末機器１０は、携帯情報機器２０および無線通信機器３０を含む。電子情報端末機器１０は、インターネット４０を介して、データ送信先となる複数の受信機器５０と通信可能である。なお、本実施形態では、携帯情報機器２０としてデジタルカメラを例にとって説明する。無線通信機器３０は、携帯情報機器２０に外付けされる通信カードの形態でもよく、あるいは、携帯情報機器２０に内蔵されていてもよい。本実施形態では、携帯情報機器２０は無線通信機器３０を内蔵するものとして説明する。受信機器５０の具体例としては、ＦＴＰサーバやＳＭＴＰサーバなどがある。
【００１６】
携帯情報機器２０は、データ入力部２１、データ格納部２２、コントローラ２３、ユーザ指示部２４、データ変換部２５、送信先・送信方式格納部２６、アプリケーション格納部２７及び表示部２８を備える。
【００１７】
データ入力部２１は、画像を撮像するためのＣＣＤ等で構成される光学系及び撮像した光信号を電気信号に変換し、得られた電気信号を画像データに変換するなどの機能を有する信号処理回路で構成される。
【００１８】
データ格納部２２は、データ入力部２１で得られた画像データを所定の画像形式でオリジナルの画像データとして記憶する。デジタルカメラに適用されるデータ格納部２２の具体例としては、フラッシュメモリがある。
【００１９】
データ格納部２２に格納される画像データのフォーマット、サイズ及び圧縮率等は、様々なバリエーションで定めることができる。図２は、ＣＣＤが２００万画素の場合の、オリジナルの画像データの画像形式の例を示す。ユーザは、図２に示された画像形式の中からオリジナルの画像データ用の画像形式を選択することができる。たとえば、Ｎｏ１の画像形式では、画像のサイズが２０００×１４９６ピクセル、フォーマットがＪＰＥＧ、圧縮率が低となり、この画像形式におけるオリジナルの画像データのファイルサイズは１０００ＫＢとなる。なお、画像形式が表示される順序は、画像サイズの順番、ファイルサイズの順番、画質が良い順番などでソートすることにより、ユーザは画像形式の選択を好みに応じて選択しやすくなる。
【００２０】
コントローラ２３は、データ格納部２２に対する画像データの書き込みや読み出しを制御する他に、後述するデータ変換部２５による画像データの変換を制御する。ユーザ指示部２４は、ユーザが操作可能なタッチパネルなどのユーザインターフェースにより構成される。データ変換部２５は、データ格納部２２に記憶された画像データの画像形式を所定の変換ルールにしたがって変換する。
【００２１】
送信先・送信方式格納部２６は、送信先の一覧と各送信先に対応する送信方式を格納する。図３は、送信先・送信方式格納部２６が格納する送信先テーブル１００を例示する。送信先テーブル１００には、送信先毎に、データ送信のプロトコル及び送信先へのアクセスに必要なパスワードが対応づけられている。送信先の典型例としては、ＦＴＰサーバのドメイン名、メールアドレスなどがある。ＦＴＰサーバへのデータ送信のプロトコルとしてはＦＴＰが、メール送信のプロトコルとしてはＳＭＴＰが用いられる。
【００２２】
アプリケーション格納部２７は、ハードウェアとしてはＲＯＭで構成され、画像データを電子メールの添付ファイルの形態で送信可能なメール送信用のアプリケーションを含む。表示部２８は、データ格納部２２に記憶された画像データの一覧や送信先・送信方式格納部２６に格納された送信先の一覧等の情報を表示する。無線通信機器３０は、通信モデム３１、変換ルール格納部３２及び変換プログラム格納部３３を備える。通信モデム３１は、無線通信によりインターネット４０に接続する。ここでの通信モデム３１の具体例は、ＰＨＳ（商標）モデムであり、ダイアルアップ接続などによりインターネット４０に接続可能である。
【００２３】
変換ルール格納部３２は、送信先や送信先までの伝送路の状況に応じて、データ格納部２２に格納された画像データをどのような画像形式に加工あるいは変換するかを記述する変換ルールテーブル１０２を格納する。
【００２４】
図４は、変換ルール格納部３２に予め格納された変換ルールテーブル１０２を例示する。変換ルールテーブル１０２には、送信先毎に、ＪＰＥＧ,ＴＩＦＦなどの画像データのフォーマット、画像の縦横のピクセル数を定めるサイズおよび画像データを圧縮する際の圧縮率などのパラメータが対応付けられている。画像の圧縮率は画質を左右する。各送信先に対応するフォーマット等は、各送信先のデータ処理に応じた最適なデフォルト値である。各デフォルト値はＲＯＭに記憶されており、ユーザが値を変更した場合にも、元の値にリセットすることができる。初期状態では、上記デフォルト値がデータ変換のための事前設定値として用いられる。
【００２５】
変換プログラム格納部３３は、データ変換部２５が変換できない画像データのフォーマットへデータ変換をするための変換プログラムを格納する。上記変換プログラムは、インターネット４０に接続された、変換プログラムを提供するサーバ等からダウンロードが可能である。
【００２６】
ここで、図５のフローチャートを用いて、電子情報端末機器１０から画像データを送信先に送信する際の動作について説明する。
【００２７】
まず、表示部２８により、データ格納部２２に格納された画像データの一覧がメニュー形式で表示される（Ｓ１０）。ユーザは、表示された画像データの中から所望の画像データを選択する（Ｓ２０）。
【００２８】
次に、表示部２８は、送信先の一覧を表示する（Ｓ３０）。表示部２８は、送信先テーブル１００の全体を表示してもよいが、送信先名称の一覧のみを表示してもよい。送信先名称のみを表示することにより、ユーザはプロトコルやパスワードを意識せずに、所望の送信先を選択することができ、ユーザフレンドリーな操作環境を実現することができる。
【００２９】
送信先と送信する画像データが決められた後、表示部２８は、変換ルールテーブル１０２に従ってデータ変換用のフォーマット、サイズ及び圧縮率について定められた事前設定値を表示する（Ｓ４０）。
【００３０】
ユーザは、自己の好みに応じて、フォーマット、サイズ及び圧縮率について定められた事前設定値を変更することができ、ユーザ指示部２４により変更の有無、変更後の数値等を入力した後、送信を指示することができる（Ｓ５０）。ユーザが好みに応じて変更した事前設定値は、変換ルール格納部３２に格納され、次にユーザがデータ送信を送る際に利用することができる。
【００３１】
ユーザが事前設定値に変更を加えたかいなかが判定され（Ｓ６０）、ユーザが事前設定値に変更を加えた場合には、（Ｓ６０）のＹに進み、コントローラ２３は、データ格納部２２からユーザが指定した画像データを読み出し、データ変換部２５にユーザが変更した事前設定値に従って画像データを指定された画像形式に変換させる。変換後の画像データはデータ格納部２２に格納される（Ｓ７０）。このように、ユーザは予め設定された事前設定値を参考にしつつ事前設定値を変更することにより、自己の好みに適した形式の画像データを作成することができる。
【００３２】
一方、ユーザが事前設定値に変更を加えなければ、（Ｓ６０）のＮに進み、コントローラ２３は、データ格納部２２からユーザが指定した画像データを読み出すとともに、ユーザが指定した送信先に対応するデフォルトの事前設定値を変換ルール格納部３２から読み出し、データ変換部２５に画像データを指定された画像形式に変換させる。変換後の画像データはデータ格納部２２に記録される（Ｓ８０）。この場合には、ユーザは煩雑な設定をしなくても、送信先に適した形式の画像データを簡便に作成することができる。
【００３３】
コントローラ２３は、データ変換部２５が画像データの変換処理を終了した後、通信モデム３１に対して、インターネット４０へのＴＣＰ／ＩＰ接続を指示する。コントローラ２３は、ＴＣＰ／ＩＰ接続が確立された後、データ格納部２２から変換後の画像データを読み出し、指定された送信先へ、指定されたプロトコルで送信を行う（Ｓ９０）。変換後の画像データの送信完了後は、データ格納部２２内の変換後の画像データは削除される。
【００３４】
なお、プロトコルがメール送信のＳＭＴＰが対応付けられた送信先がユーザにより選択された場合には、アプリケーション格納部２７からメール送信用のアプリケーションが読み出され、表示部２８はメール送信画面を表示する。これにより、ユーザは文章をメール送信するとともに、送信先に適した画像データを送信することができる。
【００３５】
なお、上記デジタルカメラのユーザは、無線通信機器３０のネットワーク機能が使用できない状態では、通常のスタンドアローンのデジタルカメラとなんら変わりなく、撮像を行うことができる。
【００３６】
また、本実施形態では、変換ルール格納部３２及び変換プログラム格納部３３は、無線通信機器３０に含まれているが、携帯情報機器２０が変換ルール格納部３２及び変換プログラム格納部３３を備える構成としてもよい。
【００３７】
以上のように、本実施形態の電子情報端末機器１０を用いることにより、ユーザは高品質なオリジナル画像と送信用の画像の画像形式の違いに囚われることなく、従来と同じスタンドアローンでの使用とネットワーク送信の機能を煩雑な操作なしに利用することができる。
【００３８】
なお、ユーザがオリジナル画像の画像形式の選択するにあたっては、図２のようにサイズ、フォーマットおよび圧縮率の組み合わせが予め定められている中から選択することに限られない。たとえば、図６は、メニュー形式で画像形式を選択可能な表示例を示す。
【００３９】
ユーザは、Ｍｏｄｅボタンを押すことにより、フォーマット、サイズ及び圧縮率のいずれかを選択可能にすることができる。たとえば、Ｍｏｄｅボタンによりサイズが選択されている場合には、２０００×１４９６，１６００×１２００，６００×４８０のうちから、所望の画像サイズを選択することができ、ＯＫボタンにより確定することができる。図６では、白抜き部分が選択されていることを示し、この場合、フォーマットはＪＰＥＧで、サイズは１６００×１２００、圧縮率は低となっている。これによれば、画像形式の自由度が高まるので、ユーザは好みに応じた画像形式を簡便に選択することができる。
【００４０】
また、上記実施形態では、携帯情報機器２０としてデジタルカメラを例にとったため、データ入力部２１に入力されるデータは画像データであったが、データ入力部２１に入力されるデータは、携帯情報機器の種類によって異なる。たとえば、携帯情報機器２０がボイスレコーダであればデータ入力部２１により入力されるデータは、マイクによって集音された音声データである。
【００４１】
図７は、データ入力部２１に音声データが入力される場合のデータ形式を例示する。音声データのデータ形式は、ＭＰ３，ＷＭＡなどのフォーマット及び音質の良し悪しにより定められ、単位時間（図７では１分）当たりのファイルサイズはデータ形式或いはデータの内容（種類）に依存する。
【００４２】
また、データ入力部２１に音声データが入力される場合には、変換ルール格納部３２は、送信先や送信先までの伝送路の状況に応じて、データ格納部２２に格納された音声データをどのようなデータ形式に加工あるいは変換するかを記述する変換ルールテーブル１０３を格納する。
【００４３】
図８は、変換ルール格納部３２に予め格納された変換ルールテーブル１０３を例示する。変換ルールテーブル１０３には、送信先毎に、ＭＰ３，ＷＭＡなどのフォーマット及び音質の良し悪しが事前設定値として対応付けられている。各送信先に対応する事前設定値は、各送信先に最適なデフォルト値である。なお、変換ルールテーブル１０３に記載される項目としては、音声データの長さを定める再生時間を追加してもよい。
【００４４】
これによれば、データ入力部２１に音声データが入力された場合にも、送信先や送信先までの伝送路の状況に応じて、最適なデータ形式で音声データを送信先に送信することができる。
【００４５】
（実施形態２）
実施形態１では、携帯情報機器とインターネットへの通信機能が一体になっている例を挙げた。次に説明する実施形態２では、外部ネットワークへの通信機能モジュールとスタンドアローン機器が物理的に分離され、それらが近距離無線通信でつながる形態となっている。
【００４６】
図９は、実施形態２に係る電子情報端末機器２００の構成を示す。
【００４７】
電子情報端末機器２００は、携帯情報機器２１０ａ，ｂ及び無線通信機器２２０ａ，ｂを備える。具体的には、携帯情報機器２１０ａはデジタルカメラであり、携帯情報機器２１０ｂはボイスレコーダである。
【００４８】
携帯情報機器２１０ａ及び携帯情報機器２１０ｂは、ブルートゥース（商標）等の近距離無線通信により無線通信機器２２０ａ，ｂに接続可能であり、無線通信機器２２０ａ又は無線通信機器２２０ｂ経由でインターネット４０にＴＣＰ／ＩＰ接続することができる。このため、携帯情報機器２１０ａ及び携帯情報機器２１０ｂは、近距離無線通信で接続する無線通信機器を変えることにより、最終的に接続するサービスネットワークを切り替えることが可能である。
【００４９】
携帯情報機器２１０ａ及び携帯情報機器２１０ｂは、ブルートゥース等の近距離無線を行う近距離通信モデム２３０ａ，ｂをそれぞれ備える他は、実施形態１で説明した携帯情報機器２０の構成と基本的に同様である。携帯情報機器２１０ａ及び携帯情報機器２１０ｂのうち、携帯情報機器２０と同様な構成については同一の符号を付して、適宜説明を省略する。
【００５０】
携帯情報機器２１０ａは、ブルートゥース等の近距離無線通信モデム２２２ａ、ＰＨＳのような低速な公衆回線ネットワークに接続する無線モデム２２４ａ及び接続されるネットワークの伝送速度などの特性を示す接続プロファイル格納部２２６ａを備える。
【００５１】
一方、携帯情報機器２１０ｂは、ブルートゥース等の近距離無線通信モデム２２２ｂ、無線ＬＡＮのような高速なワイヤレスネットワークに接続する無線モデム２２４ｂ及び接続されるネットワークの伝送速度などの特性を示す接続プロファイル格納部２２６ｂを備える。
【００５２】
データ格納部２２ａ，ｂに格納された画像データ又は音声データのオリジナルデータをネットワーク送信する場合の、手順および処理の流れは実施形態１と基本的に同じである。ただし、本実施形態では、接続される無線通信機器が変更可能なため、無線通信機器２２０ａ，ｂは、ネットワークの接続プロファイルを無線通信機器２２０ａ及び無線通信機器２２０ｂに問い合わせ、得られた接続プロファイルも変換方式を決める際のパラメータとして使用する。
【００５３】
図１０は、携帯情報機器２１０ｂによって作成された変換ルールテーブル１０４の例を示す。送信先の受信機器５０がＰＨＳ，無線ＬＡＮのいずれのネットワークサービスで接続可能、すなわち、無線通信機器２２０ａ又は無線通信機器２２０ｂのどちらを使用してもデータ送信が可能な場合には、図１０の送信先Ｎｏ１に例示されるように、ユーザはいずれのネットワークを利用するかを選択することができる。たとえば、ユーザは、高品質な音声データを送信することを希望する場合には、無線ＬＡＮによる送信を選択することができる。
【００５４】
以上の構成によれば、接続可能な複数のネットワークの伝送速度などの特性をも加味して、送信先に応じたデータ形式に合わせた画像データ又は音声データが簡便に作成され、ユーザは煩わしい操作をしなくても、送信先に所望の画像データ又は音声データを送信することができる。
【００５５】
なお、無線通信機器が複数の携帯情報機器から同時に接続可能であれば、１台の無線通信機器を持つだけで、複数の携帯情報機器をネットワーク対応として使用することができる。また、無線通信機器が複数のネットワークサービスの方式に対応し、近距離無線通信で複数の携帯情報機器と接続する構成とすることも可能である。更に、無線通信機器が複数種類の無線通信モデム（所謂ハイブリッド型）を有する場合、一つの無線通信機器で複数のサービス形態（ＰＨＳや無線ＬＡＮ）を受けることができ、ユーザが選択して使い分けたり、また一方しか繋がらないときは自動的に繋げることが可能なサービスに繋げることも可能である。
【００５６】
（実施形態３）
図１１は、実施形態３に係る電子情報端末機器３００の構成を示す。電子情報端末機器３００は、具体的には、インターネット４０に接続可能なホームサーバなどである。
【００５７】
データ入力部３２０は、ビデオデッキやデジタルカメラなど様々な機器やメモリーカードなどの媒体と接続可能であり、データ入力部３２０に入力されたビデオ画像、静止画像などの画像データは、オリジナルデータとして、ハードディスク３３０に保存される。ハードディスク３３０に保存されたオリジナルデータは、出力ポート３３２から外部のパーソナルコンピュータ等の機器に取り出すことができる。
【００５８】
送信先・送信方式格納部３４０には、送信先の一覧と、各送信先に対応する送信方式が格納されている。変換ルール格納部３５０には、オリジナルデータの変換ルールテーブルが格納されている。この変換ルールテーブルに記載されたデフォルト値はユーザが変更可能である。
【００５９】
ハードディスク３３０に保存された画像一覧は、ディスプレイ３６０に表示される。ユーザは、キー入力部３７０を用いてディスプレイに表示された動画像一覧から送信したい動画像を指定する。
【００６０】
次に、送信先・送信方式格納部３４０に格納された送信先一覧がディスプレイ３６０に表示される。ユーザは、キー入力部３７０を用いてディスプレイ３６０に表示された送信先一覧から送信先を指定する。
【００６１】
コントローラ３８０は、周辺機器インターフェース３９０を介して、キー入力部３７０から入力されたユーザの指示を受け付け、ハードディスク３３０から指定された画像データを読み出すとともに、変換ルール格納部３５０から送信先に対応する変換ルールデータを読み出し、信号処理プロセッサ３９０に変換指示を出す。信号処理プロセッサ３９０で変換された画像データは、ＬＡＮポート３１０と接続するＡＤＳＬモデム４００により、インターネット４０を経由して所望の送信先に送信される。
【００６２】
なお、信号処理プロセッサ３９０が送信先で受け付け可能なデータ形式へ指定された画像データを変換することができない場合には、送信先のデータ形式への変換プログラムをインターネット４０からダウンロードし、変換プログラム格納部３９２に格納することができる。信号処理プロセッサ３９０は、変換プログラム格納部３９２に格納された変換プログラムをロードして、指定された画像データを所定のデータ形式に変換する。
上記構成によれば、ホームサーバなどの据え置き型の電子情報端末機器からも、データ送信時のデータ形式を送信先に応じて適切に変更することで、スタンドアローンでの使用とネットワーク接続によるデータ送信をコンカレントにストレスなく利用することができる。
【００６３】
（実施形態４）
実施形態４に係る電子情報端末機器は、ユーザが事前設定値の変更する場合の手順および処理が異なる他は、実施形態１と同様な基本構成を備える。このため、以下の説明においては、適宜実施形態１の構成を引用しつつ、本実施形態の特徴事項について述べる。
【００６４】
図１２は、事前設定値の決定画面４０２を例示する。決定画面４０２は、データ送信の前段階において、表示部２８により表示される。決定画面４０２には、質重視で事前設定値を決めるためのボタン４１０及び転送速度重視で事前設定値を決めるためのボタン４２０を備える。ユーザは、ユーザ指示部２４により、いずれかのボタンを押す操作をするだけで、事前設定値を質重視または速度重視の値に迅速かつ簡便に変更することができる。
【００６５】
また、図１３は、事前設定値の他の決定画面５００を例示する。決定画面５００は、データ送信の前段階において、表示部２８により表示される。決定画面５００には、事前設定値を画質重視で段階的に変更することがきる、スライド式のノブ５１０が表示されている。ユーザは、ユーザ指示部２４により、ノブ５１０をずらして所望の画質段階に設定することにより、所望の画質に適した事前設定値を迅速かつ簡便に得ることができる。
【００６６】
このように、事前設定値の変更を簡便に行うインターフェースを備えることにより、ユーザは手軽に好みに応じた事前設定値に基づいて変換されたデータを送信先に送ることができる。
【図面の簡単な説明】
【００６７】
【図１】実施形態１に係る電子情報端末機器の構成を示す図である。
【図２】オリジナルの画像データの画像形式の例を示す図である。
【図３】送信先・送信方式格納部が格納する送信先テーブルを例示する図である。
【図４】変換ルール格納部に予め格納された変換ルールテーブルを例示する図である。
【図５】電子情報端末機器から画像データを送信先に送信する際の動作を表すフローチャートである。
【図６】メニュー形式で画像形式を選択可能する場合の表示例を示す図である。
【図７】データ入力部に音声データが入力される場合のデータ形式を示す図である。
【図８】変換ルール格納部に予め格納された変換ルールテーブルを例示する図である。
【図９】実施形態２に係る電子情報端末機器の構成を示す図である。
【図１０】携帯情報機器によって作成された変換ルールテーブルの例を示す図である。
【図１１】実施形態３に係る電子情報端末機器の構成を示す図である。
【図１２】事前設定値の決定画面を示す図である。
【図１３】事前設定値の他の決定画面を示す図である。
【符号の説明】
【００６８】
１０  電子情報端末機器、２０  携帯情報機器、  ２１  データ入力部、２２  データ格納部、２３  コントローラ、２４  ユーザ指示部、２５  データ格納部、２６  送信先・送信方式格納部、２７  アプリケーション格納部、  ３１  通信モデム、３２  変換ルール格納部、３３  変換プログラム格納部。
【図１】
2005227911.tif 000003
【図２】
2005227911.tif 000004
【図３】
2005227911.tif 000005
【図４】
2005227911.tif 000006
【図５】
2005227911.tif 000007
【図６】
2005227911.tif 000008
【図７】
2005227911.tif 000009
【図８】
2005227911.tif 000010
【図９】
2005227911.tif 000011
【図１０】
2005227911.tif 000012
【図１１】
2005227911.tif 000013
【図１２】
2005227911.tif 000014
【図１３】
2005227911.tif 000015